(57)【特許請求の範囲】
【請求項１】
ＬＥＤ光源が内蔵された略蒲鉾状の光源部と、この光源部に電力を供給する電源部と、前記光源部及び電源部が取り付けられるベース部とを有する照明器具本体と、この照明器具本体を収納する防水性を有するケース部とを具備しており、前記ケース部は、少なくとも収納された照明器具本体の光源部の発光面に対応した箇所に透光部を有するとともに、作業者が肩から下げることができるストラップ部を有していることを特徴とする可搬型照明器具。
【請求項２】
前記ベース部は、ＤＩＮレールであることを特徴とする請求項１記載の可搬型照明器具。
【請求項３】
前記電源部は、充電式であることを特徴とする請求項１又は２記載の可搬型照明器具。
【請求項４】
前記ベース部には、光源部を操作するスイッチ部が取り付けられることを特徴とする請求項１、２又は３記載の可搬型照明器具。
【請求項５】
前記ケース部は、光源部を操作するスイッチ部を外部から操作可能な柔軟性を有する素材で構成されていることを特徴とする請求項１、２、３又は４記載の可搬型照明器具。
【請求項６】
前記ケース部には、交換用の電源部を収納するポケット部が設けられていることを特徴とする請求項１、２、３、４又は５記載の可搬型照明器具。
【発明の詳細な説明】
【技術分野】
【０００１】
本発明は、例えば、工事現場等の両手で作業を行わなければならない場所において使用する可搬型照明器具に関する。
【背景技術】
【０００２】
この種の可搬型照明器具としては、ヘルメットに取り付けるタイプや、意匠登録第１３２２３８３号（特許文献１）記載の携帯用照明器具等がある。
【０００３】
【特許文献１】意匠登録第１３２２３８３号公報
【発明の開示】
【発明が解決しようとする課題】
【０００４】
しかしながら、ヘルメットに取り付けるものでは、照明すべき箇所に顔を向けなければならないという制約がある。
また、意匠登録第１３２２３８３号公報記載のものでは、防水タイプとするためには、筐体全体を防水処理しなければならないため、重量の点で問題が生じがちである。この重量の問題は、特に手持ち型の照明器具の場合に大きな問題となる。
【０００５】
本発明は、上記事情に鑑みて創案されたもので、照明すべき箇所に顔を向ける必要がなく、しかも防水としても重量を軽くすることができる可搬型照明器具を提供することを目的としている。
【課題を解決するための手段】
【０００６】
本発明に係る可搬型照明器具は、ＬＥＤ光源が内蔵された略蒲鉾状の光源部と、この光源部に電力を供給する電源部と、前記光源部及び電源部が取り付けられるベース部とを有する照明器具本体と、この照明器具本体を収納する防水性を有するケース部とを備えており、前記ケース部は、少なくとも収納された照明器具本体の光源部の発光面に対応した箇所に透光部を有するとともに、作業者が肩から下げることができるストラップ部を有している。
【発明の効果】
【０００７】
本発明に係る可搬型照明器具は、ヘルメットに取り付けるタイプではないため、照明すべき箇所に顔を向ける必要はない。
しかもケース部に防水性をもたせているため、照明器具本体の防水性を確保する必要がないので、全体を軽量化することができる。
【図面の簡単な説明】
【０００８】
【図１】本発明の実施の形態に係る可搬型照明器具を構成する照明器具本体の概略的斜視図である。
【図２】本発明の実施の形態に係る可搬型照明器具を構成するケース部の概略的斜視図である。
【図３】本発明の実施の形態に係る可搬型照明器具を構成する照明器具本体の光源部の概略的斜視図である。
【図４】本発明の実施の形態に係る可搬型照明器具を構成する照明器具本体のベース部の概略的斜視図である。
【図５】本発明の実施の形態に係る可搬型照明器具を構成するケース部の概略的断面図である。
【図６】本発明の実施の形態に係る可搬型照明器具の使用例を示す概略的説明図である。
【図７】本発明の実施の形態に係る可搬型照明器具を構成する他のケース部の概略的断面図である。
【発明を実施するための形態】
【０００９】
本発明の実施の形態に係る可搬型照明器具は、ＬＥＤ光源が内蔵された略蒲鉾状の光源部１１０と、この光源部１１０に電力を供給する充電式の電源部１２０と、前記光源部１１０及び電源部１２０が取り付けられるベース部１３０とを有する照明器具本体１００と、この照明器具本体１００を収納する防水性を有するケース部２００とを備えており、前記ケース部２００は、少なくとも収納された照明器具本体１００の光源部１１０の発光面となるカバー部１１２に対応した箇所に透光部２４０を有するとともに、作業者が肩から下げることができるストラップ部２６０を有している。
【００１０】
前記ベース部１３０には、図１及び図４に示すように、規格化された幅３５ｍｍのアルミニウム製のＤＩＮレールが用いられる。
また、このベース部１３０は、後述する光源部１１０、電源部１２０の長さ寸法の和より大きく設定されており、光源部１１０と電源部１２０とが取り付けられた状態でも手で把持することができる程度の長さを余らせるようになっている。この余った部分は、把持部１３１として使用される。なお、この把持部１３１には、手あたりがよいようにゴムや合成樹脂からなる把持用カバー１３２が取り付けられる。
なお、このベース部１３０は、ＤＩＮレールであるので、長手方向に沿った両側が盛り上がって形成されており、この盛り上がった部分にスナップ着脱式の爪部１１１Ａを利用して光源部１１０等が取り付けられるようになっている。
【００１１】
前記光源部１１０は、基板部（図示省略）と、この基板部が取り付けられる本体部１１１と、前記基板部を覆った状態で本体部１１１に取り付けられて発光面となるカバー部１１２とを有している。
前記基板部には、高輝度の多数個のＬＥＤ素子が実装されるとともに、ＬＥＤ素子を駆動する回路が搭載されている。
また、前記本体部１１１は、放熱性を確保するためにアルミニウム素材で作られており、後述するベース部１１２に取り付けられるための爪部１１１Ａが四隅に１つずつ合計４つ形成されている。
さらに、前記カバー部１１２は、透光性を有する素材を略蒲鉾状に湾曲形成したものである。前記ＬＥＤ素子からの光はこのカバー部１１２を介して外部に投光される。
【００１２】
前記電源部１２０は、略直方体状であり、表面側にオンオフのためのプッシュスイッチ１２１が設けられている。なお、この電源部１２０は、リチウムイオンタイプの二次電池である。この電源部１２０も、電源部１２０を抱え込むような爪部１２５によってベース部１３０に取り付けられる。
なお、前記光源部１１０には給電線１１３が設けられており、この電源部１２０に接続できるようになっている。そして、給電線１１３には、電源部１２０に対応したコネクタ１１３Ａが設けられている。
【００１３】
一方、光源部１１０と電源部１２０とがベース部１３０に取り付けられて構成された照明器具本体１００を収納するケース部２００は、図２及び図５に示すように、細長い筒状に形成されている。
かかるケース部２００は、ある程度の剛性を有する長方形状の板材２１０と、この板材２１０の下側の端部に取り付けられる一方が閉塞された防水布からなる下筒部２２０と、前記板材２１０の上側の端部に取り付けられる両端が開放された上筒部２３０と、前記下筒部２２０と上筒部２３０との間で板材２１０に取り付けられる透光性を有するフィルム素材からなる透光部２４０と、前記板材２１０の上端に取り付けられ、前記上筒部２３０を閉塞する蓋体２５０とを有している。
下筒部２２０と透光部２４０、上筒部２３０と透光部２４０との間も連結されている。従って、蓋体２５０を閉じると、ケース部２００の内部は内部空間２７０として外部と遮断されることになる。
【００１４】
前記防水布は柔軟性を有する素材から構成される。なお、各部の縫製箇所には防水処理が施されている。なお、前記透光部２４０となるフィルム素材は、照明器具本体１００を内部空間２７０に収納した場合に、照明器具本体１００の光源部１１０のカバー部１１２が面する位置に取り付けられている。
また、前記蓋体２５０には、閉じた状態で内部空間２７０が防水空間となるように、防水閉塞具が設けられている。
【００１５】
また、このケース部２００は、ケース部２００の板材２１０の裏面側に形成された２つのループ部２１１を通した帯状のストラップ部２６０を有している。このストラップ部２３０には、ケース部２００の板材２１０の上端に設けられたフック部２１２に引っかけられるＤ字形状のＤ環２６１が取り付けられている。このＤ環２６１を前記フック部２１２に引っかけることで、ストラップ部２６０が固定される。
【００１６】
なお、ストラップ部２６０は長さが調整自在となっており、使用者の体格等に応じて長さを変化させて使用する。
また、図面中の２６２は、ストラップ部２６０を容易に分離することができる連結具である。ケース部２００をストラップ部２６０で身体に固定している状態で、万が一、ケース部２００がなにかに引っかかって身体の自由が奪われた場合には、この連結具２６２を外すことで身体の自由を取り戻す。
【００１７】
このように構成された可搬型照明器具は、図６に示すように、ストラップ部２６０を利用して使用者の身体の前面側に斜めになるように肩から掛けて使用する。この状態であると、両手で可搬型照明器具を支持する必要がないので、空いた両手を自由に使うことができる。
しかも、ケース部２００には板材２１０があるため、この板材２１０を身体に向けて接触させると、ケース部２００の透光部２４０は必ず外側に向かう。そして、照明器具本体１００のベース部１３０が板材２１０に接触しているので、ケース部２００の内部でベース部１３０が回転したりして発光面となるカバー部１１２がケース部２００のフィルム素材からなる透光部２４０からずれることがない。すなわち、この可搬型照明器具であれば、常に確実に光を外部に照射することができる。
【００１８】
光源部１１０のオンオフは、電源部１２０に設けられているプッシュスイッチ１２１をケース部２００の外側から下筒部２２０を介して押圧操作することで行う。
【００１９】
この可搬型照明器具の照明器具本体１００をケース部２００から取り出すと、手で把持するタイプの照明器具として使用することができる。
【００２０】
前記ベース部１３０の裏面側、すなわち光源部１１０等が取り付けられない側に、プレート状の磁石を取り付けておけば、ケース部２００から取り出した照明器具本体１００を作業環境に存在する磁性体に取り付けて使用することも可能である。
【００２１】
また、前記ベース部１３０の裏面側、すなわち光源部１１０等が取り付けられない側に、三脚の雲台のネジに対応したネジ孔が開設されたプレートを取り付けておけば、ケース部２００から取り出した照明器具本体１００を三脚に取り付けて使用することができる。この場合、三脚の方向を変化させることで照射方向を自由に変更することができるので大変便利である。
【００２２】
上述した実施の形態では、光源部１１０と電源部１２０とを給電線１１３で直接接続すると説明していたが、光源部１１０と電源部１２０との間にプッシュスイッチ式の輝度調整スイッチを設けることも可能である。この輝度調整スイッチも、ベース部１３０に取り付けられるようになっている。プッシュスイッチを押圧するたびに光源部１１０の輝度が高輝度から低輝度へと変化するようになっている。最低輝度になった状態でさらに輝度調整スイッチを押圧すると、最高輝度に復帰するようになっている。
この輝度調整スイッチの操作は、電源部１２０のプッシュスイッチ１２１と同様に、ケース部２００の外側から下筒部２２０を介して押圧することで行う。
【００２３】
オンオフを一定間隔で繰り返す点減回路を組み込んだ点減スイッチを設けてもよい。発光部１１０がオンオフを繰り返す点減動作を行うのものであれば、この可搬型照明器具は工事現場等での交通整理や誘導作業にも有効に利用することができるものとなる。
もちろん、この点減スイッチ及び前記輝度調節スイッチをともに設けることも可能である。
【００２４】
また、前記ケース部２００に、照明器具本体１００を収納する内部空間２７０のほかに、予備の交換用の電源部１２０を収納するポケット部２８０を設けることも可能である（図７参照）。このようなポケット部２８０を設けておけば、可搬型照明器具をより長時間にわたって使用することが可能となる。
なお、このポケット部２８０も内部空間２７０と同様に、防水布からなる開閉する蓋体２８１が設けられており、この蓋体２８１を閉じると、ポケット部２８０の内部は防水空間となるように、防水閉塞具が設けられている。
また、図７では、このポケット部２８０は、内部空間２７０を開閉する蓋体２５０が設けられたのとは反対側に内部空間２７０とは別個に設けているが、内部空間２７０の内部に設けることも可能である。
【００２５】
また、ベース部１３０を２つ向かい合わせで連結し、各ベース部１３０にそれぞれ光源部１１０を取り付けた照明器具本体とすることもあり得る。このような照明器具本体であれば、２つのベース部１３０を中心として３６０°方向、すなわち全周方向に光を発することができる。
【００２６】
なお、上記説明では、電源部１２０は充電式であるとしたが、充電できない乾電池を格納するタイプのものであってもよい。
【符号の説明】
【００２７】
１００    照明器具本体
１１０    光源部
１１２    カバー部
１２０    電源部
１３０    ベース部
２００    ケース部
２４０    透光部
２６０    ストラップ部
【図１】
0005729831.tif 000002
【図２】
0005729831.tif 000003
【図３】
0005729831.tif 000004
【図４】
0005729831.tif 000005
【図５】
0005729831.tif 000006
【図６】
0005729831.tif 000007
【図７】
0005729831.tif 000008